(57)【要約】  ゴルフクラブキャリア（１０）は、７つの内側容器（１２Ａ）と７つの外側容器（１２Ｂ）と、を含む。キャリアは軸（２６）を中心として回転可能である。２つの押出手段は１つのアクチュエータによって同時に上昇させられ、一方の押出手段（２８Ａ）はゴルフクラブを上昇させ、もう一方の押出手段（２８Ｂ）は２つの容器間の空間内で上昇する。
2016530939.tif 000002
【特許請求の範囲】
【請求項１】
各々が１本のゴルフクラブを受け、少なくともいくつかの内側容器が少なくともいくつかの外側容器の内側に取り付けられる複数の容器と、使用時に、必要に応じて上昇して各容器内のクラブの底部を支え、これを上昇させるように配置される少なくとも２つの押出手段と、を含むゴルフクラブキャリア。
【請求項２】
７つの内側容器と７つの外側容器を含む、請求項１に記載のキャリア。
【請求項３】
前記容器が軸の周囲で基部領域に対して回転可能である、請求項１または２に記載のキャリア。
【請求項４】
相対的回転は、使用時に、特定の容器を押出手段の上方に整合させることにより、使用時に、その特定の容器内のクラブを使用できるように構成される、請求項３に記載のキャリア。
【請求項５】
前記内側容器は回転軸に対する円周に沿って取り付けられ、前記外側容器はその軸に対する、前記内側容器より大きい円周に沿って取り付けられる、請求項３または４に記載のキャリア。
【請求項６】
前記内側容器の外寸は、前記外側容器の外寸から円周方向に離間されている、請求項３〜５のうちの何れか１項に記載のキャリア。
【請求項７】
前記内側容器の外寸は、前記内側容器の外寸から半径方向に離間されている、請求項３〜６のうちの何れか１項に記載のキャリア。
【請求項８】
各内側容器および各外側容器同士は、少なくともそれぞれ内側および外側押出手段の周辺と等しい距離だけ円周方向に離間されている、請求項５または、請求項５に従属する場合の請求項６または７に記載のキャリア。
【請求項９】
前記内側および外側押出手段は、使用時に、同時に上昇し、一方の押出手段が容器内へと上昇し、もう一方の押出手段が２つの容器間を上方に通過するように配置される、請求項８に記載のキャリア。
【請求項１０】
少なくともそのうちのいくつかの中にゴルフクラブが入っており、少なくともいくつかが少なくともいくつかの外側容器の内側に取り付けられた内側容器である複数の容器を含むゴルフクラブキャリアの操作方法において、少なくとも前記内側または外側容器のうちの１つの中にある１本のクラブを複数の押出手段のうちの１つによって上昇させるステップを含む方法。
【請求項１１】
前記容器は軸の周囲で基部領域に対して回転可能であり、その相対的回転を起こして、特定の容器を１つの押出手段の上方に整合させるステップと、その押出手段を上昇させて、前記容器内のクラブを上昇させるステップと、を含む、請求項１０に記載の方法。
【請求項１２】
前記内側容器は、回転軸に対する円周に沿って、前記外側容器の内側に取り付けられ、その外側容器は前記内側容器より大きい円周に沿って取り付けられ、前記内側容器の外寸は前記外側容器の外寸から円周方向に離間され、前記内側容器の外寸は前記内側容器の外寸から半径方向に離間され、少なくとも各内側容器と各外側容器同士は、少なくとも１つの押出手段の周辺と等しい距離だけ円周方向に離間され、少なくとも２つの押出手段を同時に上昇させて、一方の押出手段が１つの内側または外側容器の内部で上昇し、もう一方の押出手段が前記内側または外側容器のうちの他方の２つの隣接する容器間の空間内で上昇するようにするステップを含む、請求項１１に記載の方法。
【請求項１３】
クラブが特定の容器から取り出された後に、少なくとも１つの押出手段を自動的に下降させるステップを含む、請求項１０〜１２のうちの何れか１項に記載の方法。
【請求項１４】
請求項１〜９のうちの何れか１項に記載のゴルフキャリアを使用する際の、請求項１０〜１３のうちの何れか１項に記載された方法。
【発明の詳細な説明】
【技術分野】
【０００１】
本発明は、ゴルフクラブキャリアとゴルフクラブキャリアの操作方法に関する。
【背景技術】
【０００２】
特許文献１が開示するゴルフクラブにおいては、ゴルフクラブキャリアが回転可能であるため、１組のゴルフクラブが円周に沿って配置され、押出手段が特定のゴルフクラブを、そのゴルフクラブが押出手段の上方に位置付けられた時に昇降させることができる。通常、ゴルフプレイヤは１４本のクラブを１つのバッグの中に入れている。ゴルフクラブが共通の円周に沿って配置されていると、バッグの大きさは大きくなる。
【先行技術文献】
【特許文献】
【０００３】
【特許文献１】国際公開第２０１０／０８９６０２号パンフレット
【発明の概要】
【発明が解決しようとする課題】
【０００４】
本発明の目的は、先行技術に伴う問題を克服しようとすることである。特に、小型化、軽量化させたゴルフクラブキャリアを提供することが目的である。
【課題を解決するための手段】
【０００５】
本発明によれば、付属の特許請求項に記載されたゴルフクラブキャリアと方法が提供される。本発明のその他の特徴は、従属項および以下の説明から明らかとなるであろう。
本発明の１つの態様によれば、ゴルフクラブキャリアは、各々が１本のゴルフクラブを受け、少なくともいくつかの内側容器が少なくともいくつかの外側容器の内側に取り付けられる複数の容器と、使用時に、必要に応じて上昇して各容器内のクラブの底部を支え、これを上昇させるように配置されている少なくとも２つの押出手段と、を含む。
【０００６】
有利な点として、容器を内側および外側領域に位置付けることにより、ゴルフクラブキャリアをより小型化できる。適当な点として、容器は円形の経路上で離間されている。ここでは、その上に内側容器が配置される内周と、その上に外側容器が配置される外周がある。容器の数は、持ち運びたいゴルフクラブの本数に適したものとされるが、一般には７つの内側容器と７つの外側容器があってもよいことがわかるであろう。
【０００７】
容器は軸の周囲で基部領域に関して回転可能であってもよい。相対的回転は、使用時に、特定の容器を押出手段の上方に整合させることにより、使用時に、選択された容器を上昇させることができるように構成されてもよい。適当な点として、内側および外側容器は相互に固定して取り付けられ、それによってこれらは単体として回転する。内側容器は、回転軸に対する円周に沿って取り付けられてもよく、外側容器はその軸に対する、内側容器より大きい円周に沿って取り付けられてもよい。適当な点として、内周上の容器は角度間隔で離間される。また、外周上の容器も角度間隔で適切に離間される。有利な点として、内側および外側容器は互い違いで、内周上のある容器が押出手段と整合された時に、外側容器に作用するように配置されている押出手段が容器と整合しないようになっていてもよい。これにより、１つのアクチュエータを使って両方の押出手段を動作させることができ、押出手段と整合した容器内のクラブだけが上昇する。その結果、正しいクラブを容器の回転位置に基づいて選択でき、正しい押出手段を上昇させるために、追加の複雑な制御手段は不要である。さらに、２つの押出手段が共通のアクチュエータを共有することにより、ゴルフクラブキャリアをより小型化できる。
【０００８】
内側容器の外寸は、外側容器の外寸から円周方向に離間されていてもよい。
内側容器の外寸は、内側容器の外寸から半径方向に離間されていてもよい。
各内側容器および各外側容器同士は、少なくともそれぞれ内側および外側押出手段の周辺と等しい距離だけ円周方向に離間されていてもよい。
【０００９】
内側および外側押出手段は、使用時に、同時に上昇し、一方の押出手段が１つの容器内へと上昇し、もう一方の押出手段が２つの容器間を上方に通過するように配置されてもよい。
【００１０】
本発明の別の態様によれば、少なくともそのうちのいくつかの中にゴルフクラブが入っており、少なくともいくつかが少なくともいくつかの外側容器の内側に取り付けられた内側容器である複数の容器を含むゴルフクラブキャリアの操作方法は、少なくとも内側または外側容器のうちの１つの中にある１本のクラブを複数の押出手段のうちの１つによって上昇させるステップを含む。
【００１１】
容器は軸を中心として基部領域に対して回転可能であってもよく、方法は、その相対的回転を起こして、特定の容器を１つの押出手段の上方に整合させるステップと、その押出手段を上昇させて、その容器内のクラブを上昇させるステップと、を含んでいてもよい。内側容器は、回転軸に対する円周に沿って、外側容器の内側に取り付けられていてもよく、外側容器は内側容器より大きい円周に沿って取り付けられ、内側容器の外寸は外側容器の外寸から円周方向に離間され、内側容器の外寸は内側容器の外寸から半径方向に離間され、方法は、基部領域と容器の相対回転を起こさせるステップを含み、少なくとも各内側容器と各外側容器同士は、少なくとも１つの押出手段の周辺と等しい距離だけ円周方向に離間され、２つの押出手段を同時に上昇させて、一方の押出手段が１つの内側または外側容器の内部で上昇し、もう一方の押出手段が内側または外側容器のうちの他方の２つの隣接する容器間の空間内で上昇するようにするステップと、を含む。
【００１２】
方法は、クラブが特定の容器から取り出された後に、少なくとも１つの押出手段を下降させるステップを含んでいてもよい。
本発明は、本明細書で言及されたゴルフクラブキャリアを使用する際の、本明細書で言及された方法を含む。
【００１３】
例示的実施形態が少なくとも２列の容器に関して説明されているが、３列またはそれ以上、例えば容器の内側の輪、中央の輪、および外側の輪を形成する３つの円周経路があってもよいことがわかるであろう。
【００１４】
本発明は様々な方法で実行できるが、ここでは、以下のような添付の図面を参照しながら１つの例を説明する。
【図面の簡単な説明】
【００１５】
【図１】ゴルフクラブキャリア１０の側面図である。
【図２】図１の図に対して９０°のゴルフクラブキャリア１０の側面図である。
【図３】図２の平面図である。
【図４】図３の斜視図である。
【図５】図２の部分Ａの詳細図である。
【図６】ゴルフクラブ押出手段の詳細側面図である。
【発明を実施するための形態】
【００１６】
ゴルフクラブキャリア１０は複数のゴルフクラブ容器１２を含み、これらは、その容器がそこを通って延びる開口部が設けられた少なくとも１つの保持板１４によって相互に対して所定の位置に拘束されてもよい。
【００１７】
別々の押出手段、すなわちフィンガが設けられてもよく、これは所望により各クラブを上昇させるように作動させることができる。あるいは、容器は基部領域１６に対して回転可能であってもよい。この回転運動はモータ１８によって起こされてもよく、これは駆動歯車２０を回転させてもよく、それが今度は被駆動歯車２２を回転させてもよい。被駆動歯車は容器に固定されてシャフト２４に取り付けられてもよい。シャフトは軸２６を中心として回転する。図示されていないが、キャリアはシャフトの下側領域のプレートまたは、容器を取り囲む硬質のカバー、またはその両方を含んでいてもよく、これらはシャフトと固定され、容器のための追加の支持手段となる。
【００１８】
好ましくは、容器が回転し、基部領域は回転しない。
少なくとも１つの内側容器１２Ａが半径方向に外側の少なくとも１つの容器１２Ｂから半径方向に内側に取り付けられている。好ましくは、複数の内側および外側容器１２Ａと１２Ｂがある。７つの内側容器と７つの外側容器があってもよい。
【００１９】
複数の内側容器は、軸２６の周囲の共通の円周上にあってもよく、複数の外側容器もまた、軸２６の周囲の共通の円周上にあってよい。内側容器の半径は、外側容器の半径からずれていてもよい。
【００２０】
使用時には、基部領域と容器の相対的回転が、特定の容器内の必要なクラブがクラブ押出手段であるフィンガ２８Ａまたは２８Ｂである上方に延びる押出手段の上に位置付けられるまで起こされる。すると、一方または両方のフィンガ２８Ａおよび２８Ｂが上昇されてもよい。図６においてわかるように、フィンガは一緒に上昇し、フィンガ２８Ｂが選択された容器１２Ｂの内部で、クラブの底部を支持するリムの上まで上昇して、容器内でクラブの下面を押し上げ、クラブを上昇させる。もう一方のフィンガ２８Ａは容器間の空間内で上昇し、クラブには何の影響も与えない。同様に、クラブを内側の容器から上昇させようとする場合、フィンガ２８Ａが容器１２Ａ内で上昇してクラブを上昇させ、もう一方のフィンガ２８Ｂは影響を与えない。
【００２１】
ここで、各容器はその基部領域においてスロットを含み、その中で押出手段がスライドできる。しかしながら、クラブはまた、容器の範囲の下側まで延びるようにすることもでき、それによって押出手段がクラブに作用できる。
【００２２】
その結果、内側のクラブまたは外側のクラブ３６のどちらを上昇させるにも１つのアクチュエータがあればよい。１つのアクチュエータは容器の内側の輪と外側の輪との間に位置付けられる。１つのフィンガはアクチュエータから内側に延びて、容器の内側の輪に作用し、外側に延びて容器の外側の列に作用する。ここで、１つのアクチュエータが作動されると両方のフィンガが同時に上昇するため、内側および外側の輪の容器の配置は、例えばフィンガがスロット内で上昇するように、内側の輪の容器がアクチュエータと整合したときに、外側の輪の容器が外側のフィンガと衝突しないような配置である。すなわち、内側および外側容器の半径方向の間隔は、対向する輪の容器が相互にずれるような間隔である。
【００２３】
図６に示すように、垂直のリニアアクチュエータはフィンガを同時に昇降させてもよい。アクチュエータは回転可能にねじ切りされたシャフト３２を含んでいてもよく、これは、回転した時にねじ切り制御部材３４と協働して、部材３４に接続されている各フィンガ２８Ａおよび２８Ｂを上昇または下降させる。内側容器と外側容器との間の半径方向の距離は、シャフトが上方に突出して一部が容器と同じ領域にある場合、容器が回転する時に容器がねじ切りシャフトに当たらないような距離である。フィンガを昇降させるために、その他の周知の手段のアクチュエータが設けられてもよい。
【００２４】
フィンガは、所定の期間が経過した後、または命令受信時、またはクラブがフィンガから取り上げられたと圧力センサが判断した時等に下降してもよい。
ユーザインタフェース３６が提供されてもよく、ゴルフプレイヤはこれを操作して所望のクラブを要求でき、するとキャリア上のレシーバ３８がキャリアと基部領域とを相対的に回転させ、適切なクラブを上昇させる。
【００２５】
本願に関連して本明細書と同時に、またはそれ以前に提出され、本明細書と共に縦覧に供されているすべての論文と文書に注目し、このような論文と文献のすべての内容を参照によって本願に援用する。
【００２６】
本明細書（付属の特許請求の範囲、要約書および図面のすべてを含む）において開示されている特徴はすべて、このような特徴および／またはステップの少なくとも一部が相互に排他的であるような組合せを除き、どのように組み合わせてもよい。
【００２７】
本明細書（付属の特許請求の範囲、要約書および図面のすべてを含む）において開示されている各特徴は、別段の明確な記載がないかぎり、同じ、同等の、または同様の目的に資する代替的な特徴に置き換えてもよい。それゆえ、別段の明確な記載がないかぎり、開示されている各特徴は包括的な一連の同等または同様の特徴の一例にすぎない。
【００２８】
本発明は、上記の実施形態の詳細に限定されない。本発明は本明細書（付属の特許請求の範囲、要約書および図面のすべてを含む）において開示されている特徴のあらゆる新規な１つもしくはあらゆる新規な組合せ、または開示されているあらゆる方法のステップのあらゆる新規の１つもしくはあらゆる新規な組合せにも及ぶ。
【図１】
2016530939.tif 000003
【図２】
2016530939.tif 000004
【図３】
2016530939.tif 000005
【図４】
2016530939.tif 000006
【図５】
2016530939.tif 000007
【図６】
2016530939.tif 000008
【国際調査報告】
2016530939.tif 000009
2016530939.tif 000010